(57)【特許請求の範囲】
【請求項１】
３ＧＰＰ  ＬＴＥセルラーネットワークにおいて動作するユーザ機器（ＵＥ）であって、当該ＵＥはハードウェア処理回路を備え、当該ハードウェア処理回路は、
サービングセルおよびターゲットセルの両方について第１の基準信号受信品質（ＲＳＲＱ）測定タイプまたは第２の基準信号受信品質（ＲＳＲＱ）測定タイプのいずれかを示す、進化型ノードＢ（ｅＮＢ）から受信された無線リソース制御（ＲＲＣ）シグナリングを処理し、
示された前記ＲＳＲＱ測定タイプに基づいて前記サービングセルのＲＳＲＱおよび前記ターゲットセルのＲＳＲＱを決定し、
前記サービングセルの前記ＲＳＲＱおよび前記ターゲットセルの前記ＲＳＲＱに基づいて前記ｅＮＢに測定報告を送信し、
前記ＲＲＣシグナリングは、前記サービングセルおよび前記ターゲットセルの両方についてＲＳＲＱ測定タイプインジケータを指定する測定構成情報要素（ＩＥ）を含み、
前記第１のＲＳＲＱ測定タイプについて、前記サービングセルおよび前記ターゲットセルの両方についての前記ＲＳＲＱは、複数の共通基準信号（ＣＲＳ）が含まれる１または複数の直交周波数分割多重（ＯＦＤＭ）シンボルを介して受信信号強度インジケータ（ＲＳＳＩ）から決定され、
前記第２のＲＳＲＱ測定タイプについて、前記ＲＳＲＱは、前記サービングセルおよび前記ターゲットセルの両方について、前記ＵＥで受信された、ＣＲＳが含まれない１または複数のＯＦＤＭシンボルの受信電力に基づくＲＳＳＩから決定される、
ユーザ機器（ＵＥ）。
【請求項２】
前記第２のＲＳＲＱ測定タイプについての前記ＲＳＳＩは、前記複数のＯＦＤＭシンボルにおいて受信電力の線形平均を含む、請求項１に記載のＵＥ。
【請求項３】
測定サブフレームが複数のＯＦＤＭシンボルを含み、前記線形平均が前記測定サブフレームにおける前記複数のＯＦＤＭシンボルのうち少なくとも１つのために実行される、請求項２に記載のＵＥ。
【請求項４】
前記線形平均は、前記複数のＯＦＤＭシンボルについて伝送帯域幅の少なくとも一部を占める測定帯域幅において実行される、請求項３に記載のＵＥ。
【請求項５】
決定された前記ターゲットセルの前記ＲＳＲＱと決定された前記サービングセルの前記ＲＳＲＱとの間の差が予め定められたＡ３オフセットを超える場合、Ａ３イベントが起こり、
前記測定報告が前記Ａ３イベントの発生に応答して送信される、
請求項１から４のいずれか一項に記載のＵＥ。
【請求項６】
前記予め定められたＡ３オフセットは、示された前記ＲＳＲＱ測定タイプに少なくとも部分的に基づく、請求項５に記載のＵＥ。
【請求項７】
前記第１のＲＳＲＱ測定タイプは、レガシー動作のためであり、前記第２のＲＳＲＱ測定タイプは非レガシー動作のためである、請求項１から６のいずれか一項に記載のＵＥ。
【請求項８】
前記ｅＮＢは、前記サービングセルにおいて動作するサービングセルｅＮＢである、請求項１から７のいずれか一項に記載のＵＥ。
【請求項９】
前記ハードウェア処理回路は、さらに、前記サービングセルｅＮＢからハンドオフコマンドを受信する、請求項８に記載のＵＥ。
【請求項１０】
前記ハードウェア処理回路は、さらに、前記ハンドオフコマンドの前記受信に応答して、１または複数のハンドオフ設定メッセージを前記ターゲットセルにおいて動作するターゲットセルｅＮＢと交換する、請求項９に記載のＵＥ。
【請求項１１】
前記ハードウェア処理回路は、１または複数のアンテナに結合された１または複数の送受信機を含む前記１または複数のアンテナをさらに有し、
前記ｅＮＢからの前記シグナリングの前記受信および前記ｅＮＢへの前記測定報告の前記送信は、前記１または複数のアンテナで実行される、
請求項１から１０のいずれか一項に記載のＵＥ。
【請求項１２】
３ＧＰＰ  ＬＴＥセルラーネットワークにおいて動作する、ユーザ機器（ＵＥ）で測定報告をするための方法であって、
進化型ノードＢ（ｅＮＢ）から受信された無線リソース制御（ＲＲＣ）シグナリングを処理する段階であって、前記ＲＲＣシグナリングは、サービングセルおよびターゲットセルの両方について、第１の基準信号受信品質（ＲＳＲＱ）測定タイプまたは第２の基準信号受信品質（ＲＳＲＱ）測定タイプのいずれかを示し、前記ＲＲＣシグナリングは、前記サービングセルおよび前記ターゲットセルの両方について、ＲＳＲＱ測定タイプインジケータを指定する測定構成情報要素（ＩＥ）を含む、段階と、
示された前記ＲＳＲＱ測定タイプに基づいて、前記サービングセルのＲＳＲＱおよび前記ターゲットセルのＲＳＲＱを決定する段階と、
前記サービングセルの前記ＲＳＲＱおよび前記ターゲットセルの前記ＲＳＲＱに基づいて、前記ｅＮＢに測定報告を送信する段階と、を備え、
前記第１のＲＳＲＱ測定タイプについて、前記サービングセルおよび前記ターゲットセルの両方についての前記ＲＳＲＱは、複数の共通基準信号（ＣＲＳ）が含まれる１または複数の直交周波数分割多重（ＯＦＤＭ）シンボルを介して受信信号強度インジケータ（ＲＳＳＩ）から決定され、
前記第２のＲＳＲＱ測定タイプについて、前記ＲＳＲＱは、前記サービングセルおよび前記ターゲットセルの両方について、前記ＵＥで受信された、ＣＲＳが含まれない１または複数のＯＦＤＭシンボルの受信電力に基づくＲＳＳＩから決定される、
方法。
【請求項１３】
非レガシーＲＳＲＱ測定タイプについての前記ＲＳＳＩは、前記複数のＯＦＤＭシンボルについての伝送帯域幅の少なくとも一部を占める測定帯域幅において、前記複数のＯＦＤＭシンボルにおける受信電力の線形平均を含む、請求項１２に記載の方法。
【請求項１４】
測定報告トリガは、前記ターゲットセルの前記決定されたＲＳＲＱと前記サービングセルの前記決定されたＲＳＲＱとの間の差が、予め定められたＡ３オフセットを超えるＡ３イベントに応答して生成される、請求項１２または１３に記載の方法。
【請求項１５】
前記予め定められたＡ３オフセットは、前記測定タイプインジケータに基づいている、請求項１４に記載の方法。
【請求項１６】
サービングセルおよびターゲットセルの両方について第１の基準信号受信品質（ＲＳＲＱ）測定タイプまたは第２の基準信号受信品質（ＲＳＲＱ）測定タイプのいずれかを示す、進化型ノードＢ（ｅＮＢ）から受信された無線リソース制御（ＲＲＣ）シグナリングを処理し、
示された前記ＲＳＲＱ測定タイプに基づいて、前記サービングセルの前記ＲＳＲＱおよび前記ターゲットセルの前記ＲＳＲＱを決定し、
前記サービングセルの前記ＲＳＲＱおよび前記ターゲットセルの前記ＲＳＲＱに基づいて前記ｅＮＢに測定報告を送信する、プログラムであって、
前記ＲＲＣシグナリングは、前記サービングセルおよび前記ターゲットセルの両方についてＲＳＲＱ測定タイプインジケータを指定する測定構成情報要素（ＩＥ）を含み、
前記第１のＲＳＲＱ測定タイプについて、前記サービングセルおよび前記ターゲットセルの両方についての前記ＲＳＲＱは、複数の共通基準信号（ＣＲＳ）が含まれる１または複数の直交周波数分割多重（ＯＦＤＭ）シンボルを介して受信信号強度インジケータ（ＲＳＳＩ）から決定され、
前記第２のＲＳＲＱ測定タイプについて、前記サービングセルおよび前記ターゲットセルの両方についての前記ＲＳＲＱは、ユーザ機器（ＵＥ）で受信された、ＣＲＳが含まれない１または複数のＯＦＤＭシンボルの受信電力に基づくＲＳＳＩから決定される、
プログラム。
【請求項１７】
前記第２のＲＳＲＱ測定タイプについての前記ＲＳＳＩは、前記複数のＯＦＤＭシンボルにおける受信電力の線形平均を含む、請求項１６に記載のプログラム。
【請求項１８】
前記決定された前記ターゲットセルの前記ＲＳＲＱと前記決定された前記サービングセルの前記ＲＳＲＱとの間の差が予め定められたＡ３オフセットを超える場合、Ａ３イベントが起こり、
前記測定報告は、前記Ａ３イベントの発生に応答して送信される、
請求項１６に記載のプログラム。
【請求項１９】
３ＧＰＰ  ＬＴＥセルラーネットワークにおいて動作する進化型ノードＢ（ｅＮＢ）であって、当該ｅＮＢは、ハードウェア処理回路を備え、当該ハードウェア処理回路は、
サービングセルおよびターゲットセルの両方について第１の基準信号受信品質（ＲＳＲＱ）測定タイプまたは第２の基準信号受信品質（ＲＳＲＱ）測定タイプのいずれかを示す無線リソース制御（ＲＲＣ）シグナリングを、ユーザ機器（ＵＥ）に送信し、
前記サービングセルの前記ＲＳＲＱおよび前記ターゲットセルの前記ＲＳＲＱに基づく前記ＵＥから測定報告を受信し、
前記ＲＲＣシグナリングは、前記サービングセルおよび前記ターゲットセルの両方についてＲＳＲＱ測定タイプインジケータを指定する測定構成情報要素（ＩＥ）を含み、
前記第１のＲＳＲＱ測定タイプについて、前記サービングセルおよび前記ターゲットセルの両方についての前記ＲＳＲＱは、複数の共通基準信号（ＣＲＳ）が含まれる１または複数の直交周波数分割多重（ＯＦＤＭ）シンボルを介した受信信号強度インジケータ（ＲＳＳＩ）から決定され、
前記第２のＲＳＲＱ測定タイプについて、前記ＲＳＲＱは、前記ＵＥで受信された、ＣＲＳが含まれない１または複数のＯＦＤＭシンボルの受信電力に基づくＲＳＳＩから前記サービングセルおよび前記ターゲットセルの両方について決定される、
進化型ノードＢ（ｅＮＢ）。
【請求項２０】
前記ハードウェア処理回路は、さらに、
前記ターゲットセルに対して前記ＵＥについてのハンドオフを、前記受信された測定報告に少なくとも部分的に基づいて決定し、
前記ハンドオフを前記ターゲットセルに対して示すハンドオフメッセージを前記ＵＥに送信する、
請求項１９に記載のｅＮＢ。
【請求項２１】
前記ハードウェア処理回路は、さらに、前記ＵＥについての前記ＲＳＲＱ測定タイプを示すメッセージを前記ターゲットセルにおいて動作するターゲットセルｅＮＢに送信する、請求項１９または２０に記載のｅＮＢ。
【請求項２２】
前記メッセージは、１または複数のＸ２インタフェースを介して送信される、請求項２１に記載のｅＮＢ。
【請求項２３】
請求項１６から１８のいずれか一項に記載のプログラムを格納する、コンピュータ可読記録媒体。
【発明の詳細な説明】
【技術分野】
【０００１】
［優先権の主張］  本出願は、２０１４年４月２８日に出願された米国特許仮出願第６１／９８５，３９０号に対する優先権の利益を主張する２０１４年１２月１５日に出願された米国特許出願第１４／５７１，０５３号に対する優先権の利益を主張し、それぞれは、その全体が参照により本明細書に組み込まれる。
【０００２】
実施形態は、無線通信に関する。いくつかの実施形態は、ＬＴＥネットワークを含むセルラー通信ネットワークに関する。いくつかの実施形態は、基準信号受信品質（ＲＳＲＱ）を含む信号測定に関する。いくつかの実施形態は、複数のセルラーネットワークにおける複数のセル間でのハンドオーバまたはハンドオフに関する。
【背景技術】
【０００３】
セルラーネットワークで動作するモバイルデバイスは、あらゆる性能上の理由でも、ネットワークの複数の異なるセル間でハンドオフしてよい。例として、モバイルデバイスが、サービングセルよりも信頼できるリンクを提供するターゲットセルにハンドオフすることは、モバイルデバイスおよび全体のネットワークにとって有益であり得る。様々な信号測定がモバイルデバイスで取られてよく、そのハンドオフ決定の一部として複数の異なるセルについて比較されてもよい。場合によっては、それらのセルで動作する複数の基地局は、複数の異なる能力または構成を有してもよい。それに応じて、複数の異なる基地局についての信号測定技術における不一致は、望ましくない結果をもたらし得る。従って、複数の異なる基地局についてリンク性能を決定する複数のシステムおよび方法の一般的な必要性がある。
【図面の簡単な説明】
【０００４】
【図１】いくつかの実施形態による３ＧＰＰネットワークの機能図である。
【０００５】
【図２】いくつかの実施形態によるユーザ機器（ＵＥ）の機能図である。
【０００６】
【図３】いくつかの実施形態による進化型ノードＢ（ｅＮＢ）の機能図である。
【０００７】
【図４】いくつかの実施形態による複数のターゲットセルについて、ＵＥが複数の測定を報告してよいシナリオの例を図示する。
【０００８】
【図５】いくつかの実施形態によって、ＵＥで測定報告をする方法の動作を図示する。
【０００９】
【図６】いくつかの実施形態によって、測定構成情報要素（ＩＥ）の例を図示する。
【００１０】
【図７】いくつかの実施形態によって、ＵＥとｅＮＢとの間の複数のＲＳＲＱ測定動作およびシグナリングの例を図示する。
【００１１】
【図８】いくつかの実施形態によって、測定報告をする方法の動作を図示する。
【発明を実施するための形態】
【００１２】
以下の説明及び複数の図面は、当業者が複数の具体的な実施形態を実施することを可能にするべく、それらを十分に図示する。他の実施形態は、構造的変更、論理的変更、電気的変更、プロセス的変更、および他の複数の変更を組み込んでよい。いくつかの実施形態の複数の部分及び特徴は、複数の他の実施形態の複数の部分および特徴に含まれ得る、またはそれらに代用され得る。特許請求の範囲に明記される実施形態は、それらの特許請求の範囲の全ての利用可能な均等物を包含する。
【００１３】
図１は、いくつかの実施形態による３ＧＰＰネットワークの機能図である。ネットワークは、無線アクセスネットワーク（ＲＡＮ）（例えば、示されるように、Ｅ‐ＵＴＲＡＮまたは進化型ユニバーサル地上無線アクセスネットワーク）１００およびＳＩインタフェース１１５を介して共に結合された（例えば、進化型パケットコア（ＥＰＣ）として示される）コアネットワーク１２０を備える。利便性と簡潔さのために、コアネットワーク１２０並びにＲＡＮ１００の一部のみが示される。
【００１４】
コアネットワーク１２０は、モビリティ管理エンティティ（ＭＭＥ）１２２、サービングゲートウェイ（サービングＧＷ）１２４、およびパケットデータネットワークゲートウェイ（ＰＤＮ‐ＧＷ）１２６を含む。ＲＡＮ１００は、ユーザ機器（ＵＥ）１０２と通信するための（複数の基地局として動作し得る）複数の進化型ノードＢ（ｅＮＢ）１０４を含む。複数のｅＮＢ１０４は、複数のマクロｅＮＢおよび複数の低電力（ＬＰ）ｅＮＢを含み得る。いくつかの実施形態に従って、ＵＥ１０２は、サービングセルの基準信号受信品質（ＲＳＲＱ）およびターゲットセルのＲＳＲＱを、ｅＮＢ１０４からＵＥ１０２で受信された測定構成情報要素（ＩＥ）の一部として含まれ得る示されたＲＳＲＱ測定タイプに基づいて決定してよい。これらの実施形態は、以下により詳細に記載される。
【００１５】
ＭＭＥ１２２は、レガシーサービングＧＰＲＳサポートノード（ＳＧＳＮ）の制御プレーンと機能が類似している。ＭＭＥ１２２は、ゲートウェイ選択およびトラッキングエリアリスト管理等、アクセスにおけるモビリティの態様を管理する。サービングＧＷ１２４は、ＲＡＮ１００に対するインタフェースを終端し、ＲＡＮ１００とコアネットワーク１２０との間の複数のデータパケットをルーティングする。さらに、サービングＧＷ１２４は、ｅＮＢ間のハンドオーバのローカルなモビリティアンカーポイントであり得、３ＧＰＰ間のモビリティのアンカーもまた提供し得る。他の複数の役割は、合法的傍受、課金、および何らかのポリシー施行を含み得る。サービングＧＷ１２４およびＭＭＥ１２２は、１つの物理ノードまたは別個の複数の物理ノードに実装され得る。ＰＤＮ‐ＧＷ１２６は、パケットデータネットワーク（ＰＤＮ）に対するＳＧｉインタフェースを終端する。ＰＤＮ‐ＧＷ１２６は、ＥＰＣ１２０と外部ＰＤＮとの間の複数のデータパケットをルーティングし、ポリシー施行およびチャージデータ収集のためのキーノードであってもよい。また、ＰＤＮ‐ＧＷ１２６は、非ＬＴＥアクセスを伴ったモビリティのアンカーポイントを提供し得る。外部ＰＤＮは、任意の種類のＩＰネットワーク並びにＩＰマルチメディアサブシステム（ＩＭＳ）ドメインであり得る。ＰＤＮ‐ＧＷ１２６およびサービングＧＷ１２４は、１つの物理ノードまたは分離した複数の物理ノードに実装され得る。
【００１６】
ｅＮＢ１０４（マクロおよびマイクロ）は、エアインタフェースプロトコルを終端し、ＵＥ１０２の最初の接点になり得る。いくつかの実施形態において、ｅＮＢ１０４は、限定されないが、無線ベアラ管理等のＲＮＣ（無線ネットワークコントローラ機能）、アップリンクおよびダウンリンクダイナミック無線リソース管理およびデータパケットスケジューリング、並びにモビリティ管理を含むＲＡＮ１００の様々な論理的機能を果たしてよい。複数の実施形態に従って、複数のＵＥ１０２は、ＯＦＤＭＡ通信技術によるマルチキャリア通信チャネルを介して複数のＯＦＤＭ通信信号をｅＮＢ１０４に通信するように構成され得る。複数のＯＦＤＭ信号は、複数の直交するサブキャリアを備えてよい。
【００１７】
Ｓ１インタフェース１１５は、ＲＡＮ１００およびＥＰＣ１２０を分離するインタフェースである。それは、複数のｅＮＢ１０４とサービングＧＷ１２４との間でトラフィックデータを搬送するＳ１−Ｕ、および複数のｅＮＢ１０４とＭＭＥ１２２との間のシグナリングインタフェースであるＳ１‐ＭＭＥである２つの部分に分割される。Ｘ２インタフェースは、複数のｅＮＢ１０４間のインタフェースである。Ｘ２インタフェースは、２つの部分、つまりＸ２−ＣおよびＸ２−Ｕを備える。Ｘ２−Ｃが複数のｅＮＢ１０４間の制御プレーンインタフェースである一方、Ｘ２−Ｕは、複数のｅＮＢ１０４間のユーザプレーンインタフェースである。
【００１８】
セルラーネットワークでは、屋外の信号があまり到達しない屋内エリアにカバレッジを拡張すべく、または電車の駅等の電話使用量が非常に集中するエリアにネットワーク容量を追加すべく、複数のＬＰセルが通常用いられる。本明細書で用いられるように、低電力（ＬＰ）ｅＮＢという用語は、フェムトセル、ピコセル、またはマイクロセル等、より狭い範囲のセル（マクロセルより狭い）を実装するのに適した、任意の適切な比較的低電力のｅＮＢを指す。フェムトセルｅＮＢは、典型的にはモバイルネットワークオペレータにより、それの複数の住宅向けまたは企業顧客に提供される。フェムトセルは、典型的には住宅向けゲートウェイのサイズであるか、またはそれより小さく、ユーザのブロードバンドラインに一般的に接続する。一旦接続されると、フェムトセルは、モバイルオペレータのモバイルネットワークに接続し、典型的には３０から５０メートルの範囲の追加のカバレッジを住宅向けフェムトセルに提供する。従って、ＬＰ−ｅＮＢは、それがＰＤＮ‐ＧＷ１２６を介して結合されているので、フェムトセルｅＮＢであってもよい。同様に、ピコセルは、典型的には（オフィス、ショッピングモール、電車の駅等）建物内、またはより最近では航空機内等の狭いエリアをカバーする無線通信システムである。ピコセルｅＮＢは、概して、Ｘ２リンクを介してマクロｅＮＢ等の別のｅＮＢに、それの基地局コントローラ（ＢＳＣ）機能を介して接続し得る。従って、ＬＰ−ｅＮＢは、Ｘ２インタフェースを介してマクロｅＮＢに結合されるので、ピコセルｅＮＢとともに実装され得る。複数のピコセルｅＮＢまたは他の複数のＬＰ−ｅＮＢは、マクロｅＮＢのいくつかまたは全ての機能を組み込んでよい。場合によっては、これはアクセスポイント基地局または企業向けフェムトセルと称されてよい。
【００１９】
いくつかの実施形態において、ダウンリンクリソースグリッドは、ｅＮＢ１０４からＵＥ１０２までのダウンリンク送信用に用いられてよい一方、ＵＥ１０２からｅＮＢ１０４までのアップリンク送信は、複数の同様の技術を用いてよい。グリッドは、各スロットにおけるダウンリンクの物理リソースであるリソースグリッドまたは時間‐周波数リソースグリッドと呼ばれる時間‐周波数グリッドであってもよい。そのような時間‐周波数プレーン表現は、ＯＦＤＭシステムでは一般的なやり方であり、これにより、無線リソース割り当てが直観的になる。リソースグリッドの各列と各行は、１つのＯＦＤＭシンボルおよび１つのＯＦＤＭサブキャリアにそれぞれ対応する。時間ドメインにおけるリソースグリッドの持続時間は、無線フレームにおける１つのスロットに対応する。リソースグリッドにおける最小の時間‐周波数単位は、リソース要素として示される。各リソースグリッドは、特定の複数の物理チャネルの複数のリソース要素へのマッピングを説明する多数のリソースブロックを有する。各リソースブロックは、周波数ドメインにおいて複数のリソース要素の収集を有し、現在割り当てられ得るリソースの最も少ない量を表し得る。そのような複数のリソースブロックを用いて伝送される、数個の異なる物理ダウンリンクチャネルがある。本開示に対する特定の関連を含み、２つのこれらの物理ダウンリンクチャネルは、物理ダウンリンク共有チャネルおよび物理ダウンリンク制御チャネルである。
【００２０】
物理ダウンリンク共有チャネル（ＰＤＳＣＨ）は、ユーザデータおよびより上位層のシグナリングをＵＥ１０２（図１）に搬送する。例として、より上位層のシグナリングは、無線リソース制御（ＲＲＣ）シグナリングを含み得る。物理ダウンリンク制御チャネル（ＰＤＣＣＨ）は、数ある中でＰＤＳＣＨチャネルに関するトランスポート形式およびリソース割り当てについての情報を搬送する。物理ダウンリンク制御チャネルは、また、トランスポート形式、リソース割り当て、およびアップリンク共有チャネルに関するＨ‐ＡＲＱ情報について、ＵＥ１０２に通知する。典型的には、ダウンリンクスケジューリング（セル内のＵＥ１０２に対する割り当て制御チャネルリソースブロックおよび共有チャネルリソースブロック）は、ＵＥ１０２からｅＮＢ１０４にフィードバックされたチャネル品質情報に基づいてｅＮＢ１０４で実行され、次に、ダウンリンクリソース割り当て情報が、ＵＥ１０２に（対して割り当てられる）用いられる制御チャネル（ＰＤＣＣＨ）上でＵＥ１０２に送信される。
【００２１】
ＰＤＣＣＨは、複数のＣＣＥ（制御チャネル要素）を、制御情報を伝送するのに用いる。複数のリソース要素にマッピングされる前に、複数のＰＤＣＣＨ複素シンボルは、最初に複数の４つ組に編成され、複数の４つ組は、次に、速度マッチング（ｒａｔｅ  ｍａｔｃｈｉｎｇ）に対するサブブロックインターリーバを用いて並べられる。各ＰＤＣＣＨは、これらの制御チャネル要素（ＣＣＥ）の１または複数を用いて送信され、ここで、各ＣＣＥは、複数のリソース要素グループ（ＲＥＧ）として知られる、４つの物理リソース要素を含む９個のセットに対応する。４つのＱＰＳＫシンボルが、各ＲＥＧにマッピングされる。ＰＤＣＣＨは、ＤＣＩのサイズおよびチャネル状況に応じて、１または複数のＣＣＥを用いて送信され得る。異なる数のＣＣＥ（例えば、アグリゲーションレベル、Ｌ＝１，２，４，または８）を有するＬＴＥにおいて定義される４またはそれより多くの異なるＰＤＣＣＨ形式があってもよい。
【００２２】
図２は、いくつかの実施形態によるユーザ機器（ＵＥ）の機能図である。図３は、いくつかの実施形態による進化型ノードＢ（ｅＮＢ）の機能図である。いくつかの実施形態において、ｅＮＢ３００は、固定された非モバイルデバイスであってもよいことに留意されたい。ＵＥ２００は、図１に示されるようなＵＥ１０２であってもよい一方、ｅＮＢ３００は、図１に示されるようなｅＮＢ１０４であってもよい。ＵＥ２００は、１または複数のアンテナ２０１を用いて、ｅＮＢ３００、他の複数のｅＮＢ、他の複数のＵＥまたは他の複数のデバイスに対して、それらから信号を送受信するための物理層回路２０２を含んでもよい一方、ｅＮＢ３００は、１または複数のアンテナ３０１を用いて、ＵＥ２００、その他の複数のｅＮＢ、他の複数のＵＥまたは他の複数のデバイスに対して、それらから信号を送受信するための物理層回路３０２を含んでもよい。ＵＥ２００はまた、無線媒体に対するアクセスを制御するための媒体アクセス制御層（ＭＡＣ）回路２０４も含んでもよい一方、ｅＮＢ３００はまた、無線媒体に対するアクセスを制御するための媒体アクセス制御層（ＭＡＣ）回路３０４も含んでもよい。ＵＥ２００はまた、本明細書で記載される複数の動作を実行するべく配置された処理回路２０６およびメモリ２０８を含んでもよく、ｅＮＢ３００はまた、本明細書で記載される複数の動作を実行するべく配置された処理回路３０６およびメモリ３０８を含んでもよい。ｅＮＢ３００は、また、１または複数のインタフェース３１０を含んでもよく、１または複数のインタフェースは、他の複数のｅＮＢ１０４（図１）、ＥＰＣ１２０（図１）における複数の構成要素または複数の他のネットワーク構成要素を含む複数の他の構成要素との通信を可能にしてもよい。さらに、複数のインタフェース３１０は、ネットワークの外部の複数の構成要素を含む、図１に示されていないかもしれない複数の他の構成要素との通信を可能にしてもよい。複数のインタフェース３１０は、有線または無線またはそれらの組み合わせであってもよい。
【００２３】
アンテナ２０１、３０１は、１または複数の指向性または全方向性アンテナを備えてよく、例えば、ダイポールアンテナ、モノポールアンテナ、パッチアンテナ、ループアンテナ、マイクロストリップアンテナ、または、ＲＦ信号の送信に適した複数の他のタイプのアンテナを含んでもよい。いくつかの多重入力多重出力（ＭＩＭＯ）の実施形態において、アンテナ２０１、３０１は、生じ得る空間ダイバーシティおよび複数の異なるチャネル特性をうまく利用するべく、効果的に分離され得る。
【００２４】
いくつかの実施形態において、本明細書で記載される複数のモバイルデバイスまたは複数の他のデバイスは、携帯情報端末（ＰＤＡ）、無線通信能力を持つラップトップまたはポータブルコンピュータ、ウェブタブレット、無線電話、スマートフォン、無線ヘッドセット、ページャ、インスタントメッセージングデバイス、デジタルカメラ、アクセスポイント、テレビ、医療機器（例えば、心拍モニタ、血圧モニタなど）、または情報を無線で受信および／または送信し得る他のデバイス等のポータブル無線通信デバイスの一部であってよい。いくつかの実施形態において、モバイルデバイスまたは他のデバイスは、複数の３ＧＰＰ規格に従って動作するように構成されたＵＥまたはｅＮＢであり得る。いくつかの実施形態において、モバイルデバイスまたは他のデバイスは、ＩＥＥＥ８０２．１１または複数の他のＩＥＥＥ規格を含む複数の他のプロトコルまたは規格に従って動作するように構成されてよいが、実施形態の範囲はこの点に限定されない。いくつかの実施形態において、モバイルデバイスまたは他のデバイスは、キーボード、ディスプレイ、不揮発性メモリポート、多重アンテナ、グラフィクスプロセッサ、アプリケーションプロセッサ、スピーカ、および複数の他のモバイルデバイス要素のうち１または複数を含んでよい。ディスプレイは、タッチスクリーンを含むＬＣＤスクリーンであってよい。
【００２５】
ＵＥ２００およびｅＮＢ３００はいくつかの別個の機能要素を有するものとしてそれぞれ図示されるが、機能要素の１または複数を組み合わせてもよく、複数のデジタル信号プロセッサ（ＤＳＰ）を含む複数の処理要素等のソフトウェア構成された要素、および／または複数の他のハードウェア要素の組み合わせで実装されてよい。例えば、いくつかの要素は、１または複数のマイクロプロセッサ、ＤＳＰ、フィールドプログラマブルゲートアレイ（ＦＰＧＡ）、特定用途向け集積回路（ＡＳＩＣ）、無線周波数集積回路（ＲＦＩＣ）、および、少なくとも本明細書で説明される複数の機能を実行するための様々なハードウェアおよびロジック回路の複数の組み合わせを含んでよい。いくつかの実施形態において、複数の機能要素は、１または複数の処理要素において動作する１または複数のプロセスを指し得る。
【００２６】
実施形態は、ハードウェア、ファームウェアおよびソフトウェアのうち１つまたはそれらの組み合わせにおいて実装されてよい。実施形態はまた、コンピュータ可読記憶デバイスに格納された複数の命令としても実装され得て、その複数の命令は、本明細書で説明される複数の動作を実行するべく、少なくとも１つのプロセッサにより読み出され実行され得る。コンピュータ可読記憶デバイスは、機械（例えば、コンピュータ）によって可読である形態で情報を格納するための任意の非一時的機構を含んでもよい。例えば、コンピュータ可読記憶デバイスは、リードオンリメモリ（ＲＯＭ）、ランダムアクセスメモリ（ＲＡＭ）、複数の磁気ディスク記憶媒体、複数の光記憶媒体、複数のフラッシュメモリデバイス、並びに複数の他の記憶デバイスおよび媒体を含んでもよい。いくつかの実施形態は、１または複数のプロセッサを含んでもよく、コンピュータ可読記憶デバイスに格納された複数の命令で構成され得る。
【００２７】
いくつかの実施形態に従って、ＵＥ１０２は、サービングセルのＲＳＲＱおよびターゲットセルのＲＳＲＱを、示されたＲＳＲＱ測定タイプに基づいて決定するように構成され得る。測定タイプは、第１または第２のＲＳＲＱ測定タイプを示す測定構成情報要素（ＩＥ）の一部として受信され得る。実施形態は、第１および第２のＲＳＲＱ測定タイプに限定されない。しかしながら、場合により、任意の数のＲＳＲＱ測定タイプが用いられてもよい。第１のＲＳＲＱ測定タイプについて、ＲＳＲＱは、共通基準信号（ＣＲＳ）を介して受信信号強度インジケータ（ＲＳＳＩ）に基づいて決定されてもよい。第２のＲＳＲＱ測定タイプについて、ＲＳＲＱは、ＵＥで受信された１または複数の直交周波数分割多重（ＯＦＤＭ）シンボルの受信電力に基づくＲＳＳＩに基づいて決定されてもよい。これらの実施形態は、以下でより詳細に記載される。
【００２８】
図４は、ＵＥが、いくつかの実施形態による複数のターゲットセルについての複数の測定を報告し得るシナリオの例を図示する。実施形態は、例示的なシナリオ４００に示されるセルの数に限定されないこと、および例示的なシナリオ４００に示される構成に限定されないことに留意されたい。ＵＥ１０２は、サービングセル４１０において動作する間にサービングｅＮＢ（Ｓ‐ｅＮＢ）４１５と通信してもよい。第１のターゲットセル４２０および第２のターゲットセル４３０が、ターゲットｅＮＢ（Ｔ‐ｅＮＢ）４２５および４３５によってそれぞれサポートされてもよい。複数のターゲットセル４２０は、サービングセル４１０とは異なって、および／または場合によりお互いとは異なって構成されてもよい。例として、３ＧＰＰネットワークのいくつかのセルは、複数の３ＧＰＰ規格を「リリース１１」等の特定のバージョンまたはリリースまでサポートするように構成され得る一方、他の複数のセルはまた、「リリース１１」を超えるバージョンまたはリリースをサポートするようにも構成され得る。それに応じて、いくつかの技術または動作は、そのような複数の規格の異なるバージョンまたはリリースにおいては異なって指定され得る。
【００２９】
図５は、いくつかの実施形態に従って、ＵＥで測定報告をする方法の動作を図示する。方法５００の実施形態は、図５に示されるものと比較して、追加の、または、なおかつより少ない動作もしくはプロセスを含んでもよいことに留意することが重要である。さらに、方法５００の実施形態は、図５に示される時系列に必ずしも限定されるわけではない。方法５００を説明することにおいて、図１−４および６−７が参照され得るが、方法５００は、任意の他の適切なシステム、複数のインタフェースおよび複数の構成要素で実施され得ることを理解されたい。例えば、例示の目的で先に記載された図４におけるシナリオ４００が参照され得るが、方法５００の複数の技術および動作はそのように限定はされない。
【００３０】
さらに、本明細書で説明される方法５００および他の複数の方法は、３ＧＰＰ規格または複数の他の規格に従って動作する複数のｅＮＢ１０４または複数のＵＥ１０２を指し得る一方、それらの方法の実施形態は、それらの複数のｅＮＢ１０４または複数のＵＥ１０２だけに限定されなく、Ｗｉ−Ｆｉ（登録商標）アクセスポイント（ＡＰ）またはユーザステーション（ＳＴＡ）等の、複数の他のモバイルデバイスによってもまた実行され得る。さらに、本明細書で記載される方法５００および他の複数の方法は、ＩＥＥＥ８０２．１１等の様々なＩＥＥＥ規格に従って動作するように構成された複数のシステムを含む、他の適したタイプの無線通信システムで動作するように構成された無線デバイスによって実施され得る。
【００３１】
方法５００の動作５０５で、ＵＥ１０２は、サービングセルおよびターゲットセルの両方についてのＲＳＲＱ測定タイプを示すべく、ｅＮＢ１０４からシグナリングを受信してもよい。動作５１０で、サービングセルのＲＳＲＱおよびターゲットセルのＲＳＲＱは、示されたＲＳＲＱ測定タイプに基づいて決定されてもよい。いくつかの実施形態において、ｅＮＢ１０４は、サービングセルに関連するサービングｅＮＢ１０４であってもよいが、そのように限定はされない。さらに、実施形態は、これらの動作または複数の他の動作における単一のターゲットセルに限定されない。例として、ＲＳＲＱ測定タイプは、場合によっては複数のターゲットセルを指してもよい。
【００３２】
ＲＳＲＱ測定タイプは、サービングセルおよびターゲットセルの両方に用いられることになっている第１または第２のＲＳＲＱ測定タイプのいずれかを示してもよい。そのようには限定されないものの、いくつかの実施形態において、第１のＲＳＲＱ測定タイプは、レガシー動作のためであってよく、第２のＲＳＲＱ測定タイプは、非レガシー動作のためであってよい。すなわち、ＲＳＲＱ測定タイプインジケータは、ＲＳＲＱ決定において用いるためのレガシーＲＳＲＱ決定または非レガシーＲＳＲＱ決定のいずれかを特定してもよく、および／または決定されたＲＳＲＱに基づいて測定報告トリガの生成を特定してもよい。
【００３３】
例として、レガシー動作は、先に説明されたように、「リリース１１」を含むそれ以下の複数の３ＧＰＰ規格のバージョンまたはリリースを指し得る一方、非レガシー動作は、「リリース１１」を超えるバージョンまたはリリースを指し得る。この場合、第１のＲＳＲＱ測定タイプについて、ＲＳＲＱは、共通基準信号（ＣＲＳ）を介して受信信号強度インジケータ（ＲＳＳＩ）に基づいて決定されてもよい。第２のＲＳＲＱ測定タイプについて、ＲＳＲＱは、ＵＥ１０２で受信された１または複数のＯＦＤＭシンボルの受信電力に基づくＲＳＳＩに基づいて決定されてもよい。
【００３４】
第２のＲＳＲＱ測定タイプについてのＲＳＳＩ決定のいくつかの例が記載されるが、例は限定しているものではなく、他の適した複数のＲＳＳＩ決定技術が用いられてもよいことが理解されている。例として、ＲＳＳＩは、複数のＯＦＤＭシンボルにおいて受信電力の線形平均を含み得る。さらに、サブフレームが複数のＯＦＤＭシンボルを含み得て、線形平均はサブフレームにおける複数のＯＦＤＭシンボルのうち少なくとも１つのために実行されてもよい。線形平均は、場合により、複数のＯＦＤＭシンボルの伝送帯域幅の少なくとも一部分を占める測定帯域幅で実行されてもよい。
【００３５】
ちょうど記載された複数の異なる技術によるＲＳＲＱ決定は、第１および第２のＲＳＲＱ測定タイプ（またはレガシーおよび非レガシー）の複数の例についてかなり異なる複数の結果をもたらし得ることに留意することが重要である。ＵＥ１０２が同じＲＳＲＱ測定タイプを使用できないことにより、複数のセル（サービングまたはターゲット）のうち１つに対するリンクが、実際より良いかまたは悪いように見えることがもたらされ得る。それに応じて、複数の好ましくないハンドオフ決定が、不公平、偏っている、またはゆがんでいるとみなされ得る複数のＲＳＲＱ測定の比較に基づいて行われてもよい。従って、サービングセルおよびターゲットセルの複数のＲＳＲＱ測定のためのＵＥ１０２における使用のためのＲＳＲＱ測定タイプの通信は、改善されたハンドオフ性能を可能にし得る。
【００３６】
いくつかの実施形態において、ｅＮＢ１０４から受信されたシグナリングは、サービングセルおよびターゲットセルの両方のためのＲＳＲＱ測定タイプインジケータを特定する測定構成情報要素（ＩＥ）を含む無線リソース制御（ＲＲＣ）シグナリングを含み得る。これらの実施形態は、限定はしないが、ＲＳＲＱ測定タイプは、別のＩＥまたは別のメッセージタイプにおいて、別の形態のシグナリングでＵＥ１０２に通信されてもよい。
【００３７】
図６は、いくつかの実施形態に従って、測定構成情報要素（ＩＥ）の例を図示する。測定構成ＩＥ６００は、ターゲットセル識別子６０５、ＲＳＲＱ測定タイプインジケータ６１０、および他の複数のパラメータまたは情報６２０を含み得る。これらのフィールドまたはクォンティティ（ｑｕａｎｔｉｔｉｅｓ）のいくつかまたは全ては測定構成ＩＥ６００に含まれ得、示されていない複数の他のフィールドまたはクォンティティを含み得ることに留意することが重要である。さらに、測定構成ＩＥ６００の内容は、図６の例に示される順序または提示に限定されない。
【００３８】
ＲＳＲＱ測定タイプ６１０は、ターゲットセル識別子６０５で指定され得るサービングセルおよびターゲットセルの両方について、ＲＳＲＱがどのように算出されるか示してもよい。サービングセルは、場合により周知であり得るが、それはまた、測定構成ＩＥ６００内で指定されてもよい。ＲＳＲＱ測定タイプ６１０は、１または複数のビットフィールドを含む任意の適切な形式において情報を含み得る。例として、周知の予め定められた複数の技術は、ＵＥ１０２で、「古い／新しい」または「レガシー／非レガシー」または「第１／第２」または類似のもの等、複数の値を取るブール変数を参照してもよい。ターゲットセル識別子６０５は、また、識別、整理番号またはインデックス番号の使用を含む任意の適切なやり方でターゲットセルを参照してもよい。
【００３９】
方法５００に戻り、測定報告トリガが動作５１５で生成されてもよい。測定報告は、動作５２０でｅＮＢ１０４に送信されてもよい。測定報告は、サービングセルのＲＳＲＱおよびターゲットセルのＲＳＲＱに基づいてもよい。
【００４０】
いくつかの実施形態において、決定されたターゲットセルのＲＳＲＱと決定されたサービングセルのＲＳＲＱとの間の差が予め定められたオフセットを超える場合、測定報告トリガが生成されてもよい。すなわち、測定報告トリガは、サービングセルについて測定されたＲＳＲＱとターゲットセルについて測定されたＲＳＲＱとの比較に少なくとも部分的に基づいて生成されてもよい。その差は、２つのＲＳＲＱ値の間の絶対的な差または符号付きの差であってよいことに留意されるべきである。さらに、測定報告トリガはまた、場合によりこれらのＲＳＲＱ値の一方または両方と１または複数の閾値との比較に基づいて生成されてもよい。測定報告は、上記の差の条件または他の条件に応答して送信されてもよい。測定報告はまた、測定報告トリガに応答して送信されてもよい。
【００４１】
例として、複数の３ＧＰＰ規格において、決定されたターゲットセルのＲＳＲＱと決定されたサービングセルのＲＳＲＱとの間の差が予め定められたＡ３オフセットを超える場合、Ａ３イベントが起こってもよい。いくつかの実施形態において、予め定められたＡ３オフセットは、示されたＲＳＲＱ測定タイプに少なくとも部分的に基づいてもよい。すなわち、複数の異なるオフセット値は、複数の異なるタイプに用いられてもよく、それらの値は、解析、シミュレーション、または場合によっては設計に基づいて予め定められてもよい。それに応じて、測定報告トリガは、Ａ３イベントの発生に応答して生成されてもよい。さらに、測定報告は、Ａ３イベントの発生に応答して、または測定報告トリガに応答して送信されてもよい。
【００４２】
いくつかの実施形態において、測定報告送信および／または測定報告トリガ生成は、Ａ３イベントと１または複数の他のイベントもしくは条件との共同の、または組み合わせの発生に応答して、実行されてもよいことに留意されるべきである。例えば、ＵＥ１０２における信号品質もしくはレベルに関する複数の他のＲＳＲＱ比較または他の測定もまた、Ａ３イベントについての複数の比較と共に用いられてもよい。
【００４３】
動作５２５で、ハンドオフコマンドが、サービングセルｅＮＢ１０４からＵＥ１０２で受信されてもよい。ハンドオフコマンドは、ＵＥ１０２にターゲットセルまたは別のセルにハンドオフすることを示すか、示唆するか、または命令してもよい。それに応じて、ハンドオフコマンドは、任意の適切な識別子を用いてセル内で動作するセルまたはｅＮＢ１０４を識別してもよい。例えば、基地局ＩＤ番号または類似物が用いられてもよい。
【００４４】
動作５３０で、ＵＥ１０２は、１または複数のハンドオフ設定メッセージを、ターゲットセルで動作するように構成されたターゲットセルｅＮＢ１０４と交換してもよい。複数の設定メッセージの交換は、ハンドオフコマンドの受信に応答して実行されてよい。さらに、ＵＥ１０２は、一度ハンドオフが行われたならば、複数のトラフィックパケットをターゲットセルｅＮＢ１０４と交換してよい。
【００４５】
図７は、いくつかの実施形態によるＵＥとｅＮＢとの間のＲＳＲＱ測定動作およびシグナリングの例を図示する。動作７３０で、ＵＥ１０２は、複数のＣＲＳシンボルのみを介して１または複数のＲＳＲＱ測定を実行してよい。例として、最大で「リリース１１」までの複数の３ＧＰＰ規格におけるそれらのＲＳＲＱ測定は、それに応じて実行されてもよいが、実施形態の範囲はこの点に限定されない。
【００４６】
動作７４０で、Ｓ‐ｅＮＢ７１５（サービングｅＮＢ）は、ＲＳＲＱ測定タイプを示し得る新たなＩＥを送信してもよい。この動作は、前に説明された複数の技術を用いて実行されてもよい。例えば、新たなＩＥは、先に説明された測定構成ＩＥに類似しているかまたはそれと同じであり得る。例として、ＲＳＲＱ測定タイプは、使用されるべきレガシーまたは非レガシー技術を指し得る。例えば、先に説明されたように、レガシー技術は、最大で「リリース１１」までの複数の３ＧＰＰ規格のバージョンまたはリリースに対して適用可能であり得る一方、非レガシー技術は、複数の３ＧＰＰ規格の後続のバージョンまたはリリースに適用可能であってもよい。
【００４７】
動作７５０で、ＲＳＲＱ測定は、Ｓ‐ｅＮＢ７１５から受信された複数の信号において示されたＲＳＲＱ測定タイプに従って、ＵＥ１０２で実行されてもよい。動作７６０で、ＲＳＲＱ測定は、Ｔ‐ｅＮＢ７２５から受信された複数の信号において同じ示されたＲＳＲＱ測定タイプに従ってＵＥ１０２で実行されてよい。それに応じて、Ｓ‐ｅＮＢ７１５およびＴ‐ｅＮＢ７２５についての複数のＲＳＲＱの比較は、ＵＥ１０２で実行されてよい。比較は、場合により同じタイプの複数のＲＳＲＱが用いられ得るので、公平な比較であるかもしれない。
【００４８】
動作７７０で、Ｓ‐ｅＮＢ７１５とＴ‐ｅＮＢ７２５との間の様々なシグナリングが実行されてよい。いくつかの実施形態において、シグナリングは、Ｘ２インタフェースまたは他のインタフェースを介して実行されてもよく、それは、３ＧＰＰまたは他の複数の規格の一部として含まれてもよい。シグナリングは、どのＲＳＲＱ測定タイプが用いられるべきかについての複数の通知を含んでもよい。動作７８０で、Ｓ‐ｅＮＢ７１５とＭＭＥ１２２との間の様々なシグナリングが実行されてもよく、動作７９０で、Ｔ‐ｅＮＢ７２５とＭＭＥ１２２との間の様々なシグナリングが実行されてもよい。動作７７０−７９０で説明されたシグナリングは、複数の構成要素間で双指向性であってもよく、設定情報、ハンドオフ情報隣接セル情報（リスト等）または任意の他の関連情報を含んでよい。
【００４９】
図８は、いくつかの実施形態に従って、測定報告の方法の動作を図示する。前に方法５００に関して述べられたように、方法８００の実施形態は、図８に示されているものと比較して、追加の動作もしくはプロセス、またはより少ない動作もしくはプロセスでさえ含んでよい。方法８００の実施形態は、必ずしも図８に示されている時系列には限定されない。方法８００を説明することにおいて、図１−７に対する参照がされてもよいが、方法８００は、任意の他の適切なシステム、インタフェースおよび構成要素で実施されてもよいことは理解されている。さらに、方法８００の実施形態は、無線ネットワークのｅＮＢ１０４、ＵＥ１０２、ＡＰ、ＳＴＡ、他の無線デバイス、複数の他のモバイルデバイスまたは複数の他のデバイスもしくは構成要素を指し得る。
【００５０】
方法５００に関する前の説明、技術、動作および概念は、場合によっては方法８００に適用され得ることに留意されるべきである。例えば、方法５００の一部として説明されるシグナリングまたは複数のメッセージは、方法８００で用いられる複数の対応する概念に類似しているかまたはそれと同じであってよい。
【００５１】
動作８０５で、ｅＮＢ１０４は、サービングセルおよびターゲットセルの両方についてＲＳＲＱ測定タイプを示すべく、ＵＥ１０２にシグナリングを送信してよい。前に説明したように、サービングセルおよびターゲットセルの両方についてＲＳＲＱ測定タイプインジケータを指定する測定構成情報要素（ＩＥ）を含んでよいＲＲＣシグナリングを含む、任意の適切なシグナリングが用いられてもよい。動作８１０で、ｅＮＢ１０４は、ターゲットセルにおいて動作するように構成されたターゲットセルｅＮＢ１０４に対し、ＵＥ１０２についてのＲＳＲＱ測定タイプを示すメッセージを送信してもよい。そのような送信は、Ｘ２インタフェース等の任意の適切なインタフェースを介して実行され得る。メッセージは、ＲＳＲＱ測定タイプがＵＥ１０２によって用いられるか、または他の複数のＵＥ１０２による複数の他の測定で用いられることをターゲットセルｅＮＢ１０４に通知してよい。
【００５２】
動作８１５で、ｅＮＢ１０４は、サービングセルのＲＳＲＱおよびターゲットセルのＲＳＲＱに基づいて、ＵＥ１０２から測定報告を受信してよい。前に説明されたように、測定報告は、サービングセルおよびターゲットセルについてのＲＳＲＱ値を含んでよく、他の情報もまた含んでよい。動作８２０で、ターゲットセルへのＵＥ１０２のハンドオフが決定されてよく、受信された測定報告に少なくとも部分的に基づいてよい。例えば、ターゲットセルの測定されたＲＳＲＱがサービングセルについて測定されたＲＳＲＱよりも指定されたマージンだけ高い場合、ターゲットセルへのハンドオフが決定される。この例は、しかし、ハンドオフが本明細書で説明される複数の技術を含む他の複数の技術を用いて決定されるので、限定するものではない。動作８２５で、ｅＮＢ１０４は、ターゲットセルへのハンドオフを示すハンドオフメッセージをＵＥ１０２に送信してよい。前に説明されたように、ハンドオフメッセージは、ターゲットセルの識別子またはターゲットセルにおいて動作するように構成されたターゲットｅＮＢ１０４等を含んでよい。
【００５３】
３ＧＰＰ  ＬＴＥセルラーネットワークにおいて動作するように構成されたユーザ機器（ＵＥ）が、本明細書で開示される。ＵＥは、サービングセルおよびターゲットセルの両方について第１または第２の基準信号受信品質（ＲＳＲＱ）測定タイプのいずれかを示すべく、進化型ノードＢ（ｅＮＢ）からシグナリングを受信するように構成されたハードウェア処理回路を備える。いくつかの実施形態において、シグナリングは、第１および第２のＲＳＲＱ測定タイプに加えて、またはその代わりに、複数の他のＲＳＲＱ測定タイプを示し得る。いくつかの実施形態において、ＲＳＲＱ測定タイプはまた、複数の追加のターゲットセルについてのものであってもよい。ハードウェア処理回路は、サービングセルのＲＳＲＱおよびターゲットセルのＲＳＲＱを、示されたＲＳＲＱ測定タイプに基づいて決定し、測定報告を、サービングセルのＲＳＲＱおよびターゲットセルのＲＳＲＱに基づいてｅＮＢに送信するようにさらに構成され得る。第１のＲＳＲＱ測定タイプについて、サービングセルおよびターゲットセルの両方のＲＳＲＱが、複数の共通基準信号（ＣＲＳ）が含まれる１または複数の直交周波数分割多重（ＯＦＤＭ）シンボルを介して受信信号強度インジケータ（ＲＳＳＩ）から決定されてもよい。第２のＲＳＲＱ測定タイプについて、ＲＳＲＱは、ＵＥで受信された１または複数の直交周波数分割多重（ＯＦＤＭ）シンボルの受信電力に基づくＲＳＳＩから、サービングセルおよびターゲットセルの両方について決定されてよい。いくつかの実施形態において、第２のＲＳＲＱ測定タイプについてのＲＳＲＱの決定のためのＯＦＤＭシンボルのうち少なくとも１つは、ＣＲＳを除外してもよい。
【００５４】
いくつかの実施形態において、ｅＮＢから受信されたシグナリングは、サービングセルおよびターゲットセルの両方についてのＲＳＲＱ測定タイプインジケータを指定する測定構成情報要素（ＩＥ）を含む無線リソース制御（ＲＲＣ）シグナリングを含んでよい。いくつかの実施形態において、第２のＲＳＲＱ測定タイプについてのＲＳＳＩは、複数のＯＦＤＭシンボルにおいて受信電力の線形平均を含んでよい。いくつかの実施形態において、測定サブフレームが、複数のＯＦＤＭシンボルを含んでよく、および線形平均は、測定サブフレームにおけるＯＦＤＭシンボルのうち少なくとも１つのために実行されてもよい。いくつかの実施形態において、線形平均は、複数のＯＦＤＭシンボルについての伝送帯域幅の少なくとも一部分を占める測定帯域幅において実行されてもよい。
【００５５】
いくつかの実施形態において、Ａ３イベントは、決定されたターゲットセルのＲＳＲＱと決定されたサービングセルのＲＳＲＱとの間の差が予め定められたＡ３オフセットを超える場合に生じるかもしれず、測定報告がＡ３イベントの発生に応答して送信されてもよい。いくつかの実施形態において、予め定められたＡ３オフセットは、示されたＲＳＲＱ測定タイプに少なくとも部分的に基づいてよい。いくつかの実施形態において、第１のＲＳＲＱ測定タイプは、レガシー動作のためであり得、第２のＲＳＲＱ測定タイプは、非レガシー動作のためであり得る。いくつかの実施形態において、ｅＮＢは、サービングセルにおいて動作するように構成されたサービングセルｅＮＢであり得る。
【００５６】
ハードウェア処理回路は、サービングセルｅＮＢからハンドオフコマンドを受信するようにさらに構成され得る。ハードウェア処理回路は、ハンドオフコマンドの受信に応答して、１または複数のハンドオフ設定メッセージをターゲットセルにおいて動作するように構成されたターゲットセルｅＮＢと交換するようにさらに構成され得る。いくつかの実施形態において、ハードウェア処理回路は、１または複数のアンテナに結合されるように構成された１または複数の送受信機を含んでよい。ｅＮＢからのシグナリングの受信およびｅＮＢへの測定報告の送信は、１または複数のアンテナで実行されてよい。
【００５７】
３ＧＰＰ  ＬＴＥセルラーネットワークにおいて動作するように構成されたユーザ機器（ＵＥ）における測定報告の方法もまた、本明細書において開示される。方法は、進化型ノードＢ（ｅＮＢ）から、測定報告トリガの生成に用いるためのレガシーＲＳＲＱ決定または非レガシーＲＳＲＱ決定のいずれかを指定する基準信号受信品質（ＲＳＲＱ）測定タイプインジケータを受信する段階を含んでよい。方法は、測定報告トリガの生成に応答してｅＮＢに測定報告を送信する段階を、さらに含む。測定報告トリガは、サービングセルについて測定されたＲＳＲＱのターゲットセルについて測定されたＲＳＲＱとの比較に少なくとも部分的に基づいて生成されてもよい。サービングセルおよびターゲットセルについてのＲＳＲＱは、両方ともＲＳＲＱ測定タイプインジケータに従って決定されてよい。いくつかの実施形態において、レガシーＲＳＲＱ決定は、複数の共通基準信号（ＣＲＳ）が含まれる１または複数の直交周波数分割多重（ＯＦＤＭ）シンボルを介した受信信号強度インジケータ（ＲＳＳＩ）に基づいてもよく、非レガシーＲＳＲＱ決定は、ＵＥで受信された１または複数の直交周波数分割多重（ＯＦＤＭ）シンボルの合計した受信電力に基づくＲＳＳＩに基づいてもよい。いくつかの実施形態において、非レガシーＲＳＲＷ測定タイプについてのＲＳＳＩは、複数のＯＦＤＭシンボルについての伝送帯域幅の少なくとも一部分を占める測定帯域幅における複数のＯＦＤＭシンボルにおいて受信電力の線形平均を含んでもよい。非レガシーＲＳＲＷ測定タイプについてのＯＦＤＭシンボルのうち少なくとも１つが、ＣＲＳを除外し得る。
【００５８】
いくつかの実施形態において、ＲＳＲＱ測定タイプインジケータは、ＵＥとｅＮＢとの間の無線リソース制御（ＲＲＣ）シグナリングの一部として受信された測定構成情報要素（ＩＥ）に含まれ得る。いくつかの実施形態において、測定報告トリガは、ターゲットセルの測定されたＲＳＲＱとサービングセルの測定されたＲＳＲＱとの間の差が、予め定められたＡ３オフセットを超えるＡ３イベントに応答して生成されてもよい。いくつかの実施形態において、予め定められたＡ３オフセットは、測定タイプインジケータに基づいてもよい。
【００５９】
３ＧＰＰ  ＬＴＥセルラーネットワークにおいて測定報告を行うために複数の動作を実行すべく、１または複数のプロセッサによる実行のための複数の命令を格納する非一時的なコンピュータ可読記憶媒体が、本明細書において開示される。複数の動作は、サービングセルおよびターゲットセルの両方についての第１または第２の基準信号受信品質（ＲＳＲＱ）測定タイプのいずれかを示すべく、進化型ノードＢ（ｅＮＢ）からシグナリングをユーザ機器（ＵＥ）で受信する１または複数のプロセッサを構成してよい。複数の動作は、１または複数のプロセッサが、サービングセルのＲＳＲＱおよびターゲットセルのＲＳＲＱを、示されたＲＳＲＱ測定タイプに基づいて決定し、サービングセルのＲＳＲＱおよびターゲットセルのＲＳＲＱに基づいてｅＮＢに測定報告を送信するようにさらに構成してもよい。第２のＲＳＲＱ測定タイプについて、ＲＳＲＱは、ＵＥで受信された１または複数の直交周波数分割多重（ＯＦＤＭ）シンボルの受信電力に基づくＲＳＳＩに基づいて、決定されてもよい。いくつかの実施形態において、第１のＲＳＲＱ測定タイプについて、ＲＳＲＱは、複数の共通基準信号（ＣＲＳ）が含まれる１または複数の受信ＯＦＤＭシンボルを介した受信信号強度インジケータ（ＲＳＳＩ）に基づいて、決定されてもよい。
【００６０】
いくつかの実施形態において、ｅＮＢから受信されるシグナリングは、サービングセルおよびターゲットセルの両方についてＲＳＲＱ測定タイプインジケータを指定する測定構成情報要素（ＩＥ）を含む無線リソース制御（ＲＲＣ）シグナリングを含み得る。いくつかの実施形態において、第２のＲＳＲＱ測定タイプについてのＲＳＳＩは、複数のＯＦＤＭシンボルにおいて受信電力の線形平均を含み得る。いくつかの実施形態において、決定されたターゲットセルのＲＳＲＱと決定されたサービングセルのＲＳＲＱとの間の差が予め定められたＡ３オフセットを超える場合、Ａ３イベントが起こり得、Ａ３イベントの発生に応答して測定報告が送信されてもよい。
【００６１】
３ＧＰＰ  ＬＴＥセルラーネットワークにおいて動作するように構成された進化型ノードＢ（ｅＮＢ）もまた、本明細書において開示される。ｅＮＢは、サービングセルおよびターゲットセルの両方について第１または第２の基準信号受信品質（ＲＳＲＱ）測定タイプのいずれかを示すべく、ユーザ機器（ＵＥ）にシグナリングを送信するように構成されたハードウェア処理回路を備えてもよい。ハードウェア処理回路は、サービングセルのＲＳＲＱおよびターゲットセルのＲＳＲＱに基づくＵＥから測定報告を受信するようにさらに構成されてもよい。第１のＲＳＲＱ測定タイプについて、共通基準信号（ＣＲＳ）が含まれるサービングセルおよびターゲットセルの両方についてのＲＳＲＱは、１または複数の直交周波数分割多重（ＯＦＤＭ）シンボルを介した受信信号強度インジケータ（ＲＳＳＩ）から決定されてもよい。第２のＲＳＲＱ測定タイプについて、ＲＳＲＱは、ＵＥで受信された１または複数のＯＦＤＭシンボルの受信電力に基づくＲＳＳＩからサービングセルおよびターゲットセルの両方について決定されてもよい。ハードウェア処理回路は、受信された測定報告に少なくとも部分的に基づいて、ターゲットセルにＵＥのハンドオフを決定し、ターゲットセルへのハンドオフを示すハンドオフメッセージをＵＥに送信するようにさらに構成されてもよい。いくつかの実施形態において、シグナリングは、サービングセルおよびターゲットセルの両方についてＲＳＲＱ測定タイプインジケータを指定する測定構成情報要素（ＩＥ）を含む無線リソース制御（ＲＲＣ）シグナリングを含んでもよい。ハードウェア処理回路は、ＵＥのＲＳＲＱ測定タイプを示すメッセージをターゲットセルにおいて動作するように構成されたターゲットセルｅＮＢに送信するようにさらに構成されてもよい。いくつかの実施形態において、メッセージは、１または複数のＸ２インタフェースを介して送信されてもよい。
【００６２】
要約書は、読者が技術的開示の性質および要旨を確認することを可能にする要約書を要求する、米国特許法施行規則１．７２条（ｂ）に準拠して提供される。
要約書は、特許請求の範囲の範囲または意味を限定する、または解釈するのに用いられるべきではないとの理解のもとで、提出される。
以下の特許請求の範囲は、ここで、詳細な説明に組み込まれ、それぞれの請求項は、別個の実施形態として自立している。
［項目１］
３ＧＰＰ  ＬＴＥセルラーネットワークにおいて動作するユーザ機器（ＵＥ）であって、当該ＵＥはハードウェア処理回路を備え、当該ハードウェア処理回路は、
サービングセルおよびターゲットセルの両方について第１ の基準信号受信品質（ＲＳＲＱ）測定タイプまたは第２ の基準信号受信品質（ＲＳＲＱ）測定タイプのいずれかを示すべく、進化型ノードＢ（ｅＮＢ）からシグナリングを受信し、
示された上記ＲＳＲＱ測定タイプに基づいて上記サービングセルのＲＳＲＱおよび上記ターゲットセルのＲＳＲＱを決定し、
上記サービングセルの上記ＲＳＲＱおよび上記ターゲットセルの上記ＲＳＲＱに基づいて上記ｅＮＢに測定報告を送信し、
上記第１のＲＳＲＱ測定タイプについて、上記サービングセルおよび上記ターゲットセルの両方についての上記ＲＳＲＱは、複数の共通基準信号（ＣＲＳ）が含まれる１または複数の直交周波数分割多重（ＯＦＤＭ）シンボルを介して受信信号強度インジケータ（ＲＳＳＩ）から決定され、
上記第２のＲＳＲＱ測定タイプについて、上記ＲＳＲＱは、上記サービングセルおよび上記ターゲットセルの両方について、上記ＵＥで受信された１または複数のＯＦＤＭシンボルの受信電力に基づくＲＳＳＩから決定される、
ユーザ機器（ＵＥ）。
［項目２］
上記第２のＲＳＲＱ測定タイプの上記ＲＳＲＱの上記決定についての上記複数のＯＦＤＭシンボルのうち少なくとも１つは、ＣＲＳを除外する、項目１に記載のＵＥ。
［項目３］
上記ｅＮＢから受信された上記シグナリングは、上記サービングセルおよび上記ターゲットセルの両方についてＲＳＲＱ測定タイプインジケータを指定する測定構成情報要素（ＩＥ）を含む無線リソース制御（ＲＲＣ）シグナリングを含む、項目１または２に記載のＵＥ。
［項目４］
上記第２のＲＳＲＱ測定タイプについての上記ＲＳＳＩは、上記複数のＯＦＤＭシンボルにおいて受信電力の線形平均を含む、項目１から３のいずれか一項に記載のＵＥ。
［項目５］
測定サブフレームが複数のＯＦＤＭシンボルを含み、上記線形平均が上記測定サブフレームにおける上記複数のＯＦＤＭシンボルのうち少なくとも１つのために実行される、項目４に記載のＵＥ。
［項目６］
上記線形平均は、上記複数のＯＦＤＭシンボルについて伝送帯域幅の少なくとも一部を占める測定帯域幅において実行される、項目５に記載のＵＥ。
［項目７］
決定された上記ターゲットセルの上記ＲＳＲＱと決定された上記サービングセルの上記ＲＳＲＱとの間の差が予め定められたＡ３オフセットを超える場合、Ａ３イベントが起こり、
上記測定報告が上記Ａ３イベントの発生に応答して送信される、
項目１から６のいずれか一項に記載のＵＥ。
［項目８］
上記予め定められたＡ３オフセットは、示された上記ＲＳＲＱ測定タイプに少なくとも部分的に基づく、項目７に記載のＵＥ。
［項目９］
上記第１のＲＳＲＱ測定タイプは、レガシー動作のためであり、上記第２のＲＳＲＱ測定タイプは非レガシー動作のためである、項目１から８のいずれか一項に記載のＵＥ。
［項目１０］
上記ｅＮＢは、上記サービングセルにおいて動作するサービングセルｅＮＢである、項目１から９のいずれか一項に記載のＵＥ。
［項目１１］
上記ハードウェア処理回路は、さらに、上記サービングセルｅＮＢからハンドオフコマンドを受信する、項目１０に記載のＵＥ。
［項目１２］
上記ハードウェア処理回路は、さらに、上記ハンドオフコマンドの上記受信に応答して、１または複数のハンドオフ設定メッセージを上記ターゲットセルにおいて動作するターゲットセルｅＮＢと交換する、項目１１に記載のＵＥ。
［項目１３］
上記ハードウェア処理回路は、１または複数のアンテナに結合された１または複数の送受信機を含む上記１または複数のアンテナをさらに有し、
上記ｅＮＢからの上記シグナリングの上記受信および上記ｅＮＢへの上記測定報告の上記送信は、上記１または複数のアンテナで実行される、
項目１から１２のいずれか一項に記載のＵＥ。
［項目１４］
３ＧＰＰ  ＬＴＥセルラーネットワークにおいて動作する、ユーザ機器（ＵＥ）で測定報告をするための方法であって、
測定報告トリガの生成に用いるためのレガシーＲＳＲＱ決定または非レガシーＲＳＲＱ決定のいずれかを指定する基準信号受信品質（ＲＳＲＱ）測定タイプインジケータを進化型ノードＢ（ｅＮＢ）から受信する段階と、
上記測定報告トリガの上記生成に応答して上記ｅＮＢに測定報告を送信する段階と、を備え、
上記測定報告トリガは、サービングセルについて測定されたＲＳＲＱとターゲットセルについて測定されたＲＳＲＱとの比較に少なくとも部分的に基づいて生成され、
上記サービングセルについての上記ＲＳＲＱおよび上記ターゲットセルについての上記ＲＳＲＱは、両方とも上記ＲＳＲＱ測定タイプインジケータに従って決定される、
方法。
［項目１５］
上記レガシーＲＳＲＱ決定は、複数の共通基準信号（ＣＲＳ）が含まれる１または複数の直交周波数分割多重（ＯＦＤＭ）シンボルを介した受信信号強度インジケータ（ＲＳＳＩ）に基づいており、
上記非レガシーＲＳＲＱ決定は、上記ＵＥで受信された１または複数のＯＦＤＭシンボルの合計の受信電力に基づくＲＳＳＩに基づいており、
上記複数のＯＦＤＭシンボルのうち少なくとも１つはＣＲＳを除外する、
項目１４に記載の方法。
［項目１６］
非レガシーＲＳＲＱ測定タイプについての上記ＲＳＳＩは、上記複数のＯＦＤＭシンボルについての伝送帯域幅の少なくとも一部を占める測定帯域幅において、上記複数のＯＦＤＭシンボルにおける受信電力の線形平均を含む、項目１５に記載の方法。
［項目１７］
上記ＲＳＲＱ測定タイプインジケータは、上記ＵＥと上記ｅＮＢとの間の無線リソース制御（ＲＲＣ）シグナリングの一部として受信される測定構成情報要素（ＩＥ）において含まれる、項目１４から１６のいずれか一項に記載の方法。
［項目１８］
上記測定報告トリガは、上記ターゲットセルの上記測定されたＲＳＲＱと上記サービングセルの上記測定されたＲＳＲＱとの間の差が、予め定められたＡ３オフセットを超えるＡ３イベントに応答して生成される、項目１４から１７のいずれか一項に記載の方法。
［項目１９］
上記予め定められたＡ３オフセットは、上記測定タイプインジケータに基づいている、項目１８に記載の方法。
［項目２０］
３ＧＰＰ  ＬＴＥセルラーネットワークにおいて測定報告のための複数の動作を実行すべく、１または複数のプロセッサによる実行のための複数の命令を格納している非一時的なコンピュータ可読記憶媒体であって、上記複数の動作は、上記１または複数のプロセッサが、
ユーザ機器（ＵＥ）において、サービングセルおよびターゲットセルの両方について第１ の基準信号受信品質（ＲＳＲＱ）測定タイプまたは第２ の基準信号受信品質（ＲＳＲＱ）測定タイプのいずれかを示すべく、進化型ノードＢ（ｅＮＢ）からシグナリングを受信し、
示された上記ＲＳＲＱ測定タイプに基づいて、上記サービングセルの上記ＲＳＲＱおよび上記ターゲットセルの上記ＲＳＲＱを決定し、
上記サービングセルの上記ＲＳＲＱおよび上記ターゲットセルの上記ＲＳＲＱに基づいて上記ｅＮＢに測定報告を送信するように、上記１または複数のプロセッサを構成し、
上記第２のＲＳＲＱ測定タイプについて、上記ＲＳＲＱは、上記ＵＥで受信された１または複数の直交周波数分割多重（ＯＦＤＭ）シンボルの受信電力に基づくＲＳＳＩに基づいて決定される、
非一時的なコンピュータ可読記憶媒体。
［項目２１］
上記第１のＲＳＲＱ測定タイプについて、上記ＲＳＲＱは、複数の共通基準信号（ＣＲＳ）が含まれる、受信された複数のＯＦＤＭシンボルの１または複数を介した受信信号強度インジケータ（ＲＳＳＩ）に基づいて決定される、項目２０に記載の非一時的コンピュータ可読記憶媒体。
［項目２２］
上記ｅＮＢから受信された上記シグナリングは、上記サービングセルおよび上記ターゲットセルの両方について上記ＲＳＲＱ測定タイプインジケータを指定する測定構成情報要素（ＩＥ）を含む無線リソース制御（ＲＲＣ）シグナリングを含む、項目２１に記載の非一時的コンピュータ可読記憶媒体。
［項目２３］
上記第２のＲＳＲＱ測定タイプについての上記ＲＳＳＩは、上記複数のＯＦＤＭシンボルにおける受信電力の線形平均を含む、項目２１に記載の非一時的コンピュータ可読記憶媒体。
［項目２４］
上記決定された上記ターゲットセルの上記ＲＳＲＱと上記決定された上記サービングセルの上記ＲＳＲＱとの間の差が予め定められたＡ３オフセットを超える場合、Ａ３イベントが起こり、
上記測定報告は、上記Ａ３イベントの発生に応答して送信される、
項目２１に記載の非一時的コンピュータ可読記憶媒体。
［項目２５］
３ＧＰＰ  ＬＴＥセルラーネットワークにおいて動作する進化型ノードＢ（ｅＮＢ）であって、当該ｅＮＢは、ハードウェア処理回路を備え、当該ハードウェア処理回路は、
サービングセルおよびターゲットセルの両方について第１ の基準信号受信品質（ＲＳＲＱ）測定タイプまたは第２ の基準信号受信品質（ＲＳＲＱ）測定タイプのいずれかを示すべく、ユーザ機器（ＵＥ）にシグナリングを送信し、
上記サービングセルの上記ＲＳＲＱおよび上記ターゲットセルの上記ＲＳＲＱに基づく上記ＵＥから測定報告を受信し、
上記第１のＲＳＲＱ測定タイプについて、上記サービングセルおよび上記ターゲットセルの両方についての上記ＲＳＲＱは、複数の共通基準信号（ＣＲＳ）が含まれる１または複数の直交周波数分割多重（ＯＦＤＭ）シンボルを介した受信信号強度インジケータ（ＲＳＳＩ）から決定され、
上記第２のＲＳＲＱ測定タイプについて、上記ＲＳＲＱは、上記ＵＥで受信された１または複数のＯＦＤＭシンボルの受信電力に基づくＲＳＳＩから上記サービングセルおよび上記ターゲットセルの両方について決定される、
進化型ノードＢ（ｅＮＢ）。
［項目２６］
上記ハードウェア処理回路は、さらに、
上記ターゲットセルに対して上記ＵＥについてのハンドオフを、上記受信された測定報告に少なくとも部分的に基づいて決定し、
上記ハンドオフを上記ターゲットセルに対して示すハンドオフメッセージを上記ＵＥに送信する、
項目２５に記載のｅＮＢ。
［項目２７］
上記シグナリングは、上記サービングセルおよび上記ターゲットセルの両方について上記ＲＳＲＱ測定タイプインジケータを指定する測定構成情報要素（ＩＥ）を含む無線リソース制御（ＲＲＣ）シグナリングを含む、項目２５または２６に記載のｅＮＢ。
［項目２８］
上記ハードウェア処理回路は、さらに、上記ＵＥについての上記ＲＳＲＱ測定タイプを示すメッセージを上記ターゲットセルにおいて動作するターゲットセルｅＮＢに送信する、項目２５から２７のいずれか一項に記載のｅＮＢ。
［項目２９］
上記メッセージは、１または複数のＸ２インタフェースを介して送信される、項目２８に記載のｅＮＢ。
【図１】
0006442734.tif 000002
【図２】
0006442734.tif 000003
【図３】
0006442734.tif 000004
【図４】
0006442734.tif 000005
【図５】
0006442734.tif 000006
【図６】
0006442734.tif 000007
【図７】
0006442734.tif 000008
【図８】
0006442734.tif 000009